(57)【要約】【課題】各光源ユニットと周辺部品との隙間を均一に保つことができる多灯用光源ユニットのエーミング装置を提供すること。【解決手段】上下及び左右方向にオフセットして配置された多灯用の第１光源ユニット１と第２光源ユニット２を各１つの上下エーミング操作部７と左右エーミング操作部６の操作によって上下方向又は左右方向に回転させ、上下又は左右方向の光軸調整を第１光源ユニット１と第２光源ユニット２について同時に行うようにした多灯用光源ユニット１，２のエーミング装置において、前記第１光源ユニット１と第２光源ユニット２について上下エーミング時回転軸Ｘ１，Ｘ２と左右エーミング時回転軸Ｙ１，Ｙ２をそれぞれ個別に設定するとともに、第１光源ユニット１と第２光源ユニット２同士を微可動連結ロッド８によって連結する。【選択図】図１
2015155238.tif 000002
【特許請求の範囲】
【請求項１】
上下及び左右方向にオフセットして配置された多灯用の複数の光源ユニットを各１つの上下エーミング操作部と左右エーミング操作部の操作によって上下方向又は左右方向に回転させ、上下又は左右方向の光軸調整を全光源ユニットについて同時に行うようにした多灯用光源ユニットのエーミング装置において、
前記各光源ユニットについて上下エーミング時回転軸と左右エーミング時回転軸をそれぞれ個別に設定するとともに、隣接する２つの光源ユニット同士を微可動連結ロッドによって連結したことを特徴とする多灯用光源ユニットのエーミング装置。
【請求項２】
前記各光源ユニットの光軸を通る水平軸を各光源ユニットの上下エーミング時回転軸としたことを特徴とする請求項１記載の多灯用光源ユニットのエーミング装置。
【請求項３】
各光源ユニットについて光軸から略等距離に位置する垂直軸を左右エーミング時回転軸としたことを特徴とする請求項１又は２記載の多灯用光源ユニットのエーミング装置。
【発明の詳細な説明】
【技術分野】
【０００１】
本発明は、多灯用の複数の光源ユニットの光軸を調整するエーミング装置に関するものである。
【背景技術】
【０００２】
ヘッドランプ等の車両用灯具には、ハウジングとその開口部を覆うアウタレンズによって画成される灯室内に、複数の光源ユニットを収容して構成され多灯式のものがある（例えば、特許文献１参照）。又、斯かる多灯式の車両用灯具において、照射方向を調整するためのエーミング装置（光軸調整装置）が特許文献２等において提案されている。ここで、多灯式の複数の光源ユニットの光軸調整を行うエーミング装置の一例を図５〜図７に基づいて説明する。
【０００３】
即ち、図５は従来のエーミング装置を備える多灯用光源ユニットの正面図、図６は同多灯用光源ユニットの上面図、図７は同多灯用光源ユニットの側面図であり、図示例では、第１光源ユニット１０１と第２光源ユニット１０２が上下及び左右方向にオフセットして配置されており、両者は連結ロッド１０８によって互いに連結されている。
【０００４】
ここで、上記第１光源ユニット１０１と第２光源ユニット１０２は、ピボット点であるエーミング中心Ｐを通る水平な上下エーミング時回転軸Ｘと垂直な左右エーミング時回転軸Ｙを中心としてそれぞれ上下及び左右方向に回転して光軸（光照射方向）が調整される。即ち、例えば上下エーミング操作部１０７を操作すれば、第１光源ユニット１０１と第２光源ユニット１０２は上下エーミング字回転軸Ｘを中心として上下に回転して光軸が上下方向に調整され、左右エーミング操作部１０６を操作すれば、第１光源ユニット１０１と第２光源ユニット１０２は左右エーミング時回転軸Ｙを中心として左右に回転して光軸が左右方向に調整される。
【先行技術文献】
【特許文献】
【０００５】
【特許文献１】特開２０１３−００４４７５号公報
【特許文献２】特許第４３４５５１７号公報
【発明の概要】
【発明が解決しようとする課題】
【０００６】
しかしながら、図５〜図７に示す従来のエーミング装置においては、上下及び左右方向にオフセットして配置された第１光源ユニット１０１と第２光源ユニット１０２が共通の上下エーミング時回転軸Ｘ及び左右エーミング回転軸Ｙを中心として上下及び左右方向に一体的に回転するため、これらの第１光源ユニット１０１と第２光源ユニット１０２の移動軌跡の移動量に差が生じてしまう。具体的には、第１光源ユニット１０１と第２光源ユニット１０２の上下及び左右方向の移動軌跡の移動量は、上下エーミング時回転軸Ｘと左右エーミング時回転軸Ｙからの距離に依存し、距離が長いほど移動量が大きくなる。従って、図７に破線にて示すように、上下エーミング時回転軸Ｘからの距離が長い第２光源ニット１０２の上下方向の移動量の方が第１光源ユニット１０１のそれよりも大きくなる。又、図６に破線にて示すように、左右エーミング時回転軸Ｙからの距離が長い第１光源ユニット１０１の左右方向の移動量の方が第２光源ユニット１０２のそれよりも大きくなる。
【０００７】
上述のように、第１光源ユニット１０１と第２光源ユニット１０２について上下及び左右方向の移動軌跡の移動量に差が生じると、これらの第１光源ユニット１０１及び第２光源ユニット１０２と周辺部品との間の隙間を均一に保つことができないという問題が発生する。
【０００８】
本発明は上記問題に鑑みてなされたもので、その目的とする処は、全光源ユニットについてエーミング時の移動軌跡の移動量を合わせて各光源ユニットと周辺部品との隙間を均一に保つことができる多灯用光源ユニットのエーミング装置を提供することにある。
【課題を解決するための手段】
【０００９】
上記目的を達成するため、請求項１記載の発明は、上下及び左右方向にオフセットして配置された多灯用の複数の光源ユニットを各１つの上下エーミング操作部と左右エーミング操作部の操作によって上下方向又は左右方向に回転させ、上下又は左右方向の光軸調整を全光源ユニットについて同時に行うようにした多灯用光源ユニットのエーミング装置において、
前記各光源ユニットについて上下エーミング時回転軸と左右エーミング時回転軸をそれぞれ個別に設定するとともに、隣接する２つの光源ユニット同士を微可動連結ロッドによって連結したことを特徴とする。
【００１０】
請求項２記載の発明は、請求項１記載の発明において、前記各光源ユニットの光軸を通る水平軸を各光源ユニットの上下エーミング時回転軸としたことを特徴とする。
【００１１】
請求項３記載の発明は、請求項１又は２記載の発明において、各光源ユニットについて光軸から略等距離に位置する垂直軸を左右エーミング時回転軸としたことを特徴とする。
【発明の効果】
【００１２】
請求項１記載の発明によれば、各光源ユニットについて上下エーミング時回転軸と左右エーミング時回転軸をそれぞれ個別に設定したため、各光源ユニット間に上下及び左右方向の移動軌跡の移動量に差が生じず、各光源ユニットと周辺部品との間の隙間を均一に保つことができる。又、隣接する２つの光源ユニット同士を微可動連結ロッドによって互いに連結したため、上下エーミング時回転軸及び左右エーミング時回転軸を各光源ユニットについて個々に設定したことによる各光源ユニットの位相差を吸収しつつ、各１つの上下エーミング操作部と左右エーミング操作部の操作によって全光源ユニットを上下及び左右方向に同時に回動させてそれらの光軸調整を効率良く簡単に行うことができる。
【００１３】
請求項２記載の発明によれば、各光源ユニットの光軸を通る水平軸を各光源ユニットの上下エーミング時回転軸としたため、各光源ユニットの上下方向の移動軌跡の移動量に差が生じず、全ての光源ユニットの上下方向の移動量が等しくなる。
【００１４】
請求項３記載の発明２よれば、各光源ユニットについて光軸から略等距離に位置する垂直軸を左右エーミング時回転軸としたため、各光源ユニットの左右方向の移動軌跡の移動量に差が殆ど生じず、全ての光源ユニットの上下方向の移動量が略等しくなる。
【図面の簡単な説明】
【００１５】
【図１】本発明に係るエーミング装置を備える多灯用光源ユニットの正面図である。
【図２】本発明に係るエーミング装置を備える多灯用光源ユニットの上面図である。
【図３】本発明に係るエーミング装置を備える多灯用光源ユニットの側面図である。
【図４】図１のＡ−Ａ栓断面図である。
【図５】従来のエーミング装置を備える多灯用光源ユニットの正面図である。
【図６】従来のエーミング装置を備える多灯用光源ユニットの上面図である。
【図７】従来のエーミング装置を備える多灯用光源ユニットの側面図である。
【発明を実施するための形態】
【００１６】
以下に本発明の実施の形態を添付図面に基づいて説明する。
【００１７】
図１は本発明に係るエーミング装置を備える多灯用光源ユニットの正面図、図２は同多灯用光源ユニットの上面図、図３は同多灯用光源ユニットの側面図、図４は図１のＡ−Ａ線断面図である。
【００１８】
本実施の形態に係るエーミング装置は、２つの第１光源ユニット１と第２光源ユニット２の光軸（照射方向）を調整するためのものであって、図１〜図３に示すように、第１光源ユニット１と第２光源ユニット２は、上下、左右及び前後方向にオフセットして配置されている。ここで、図４に示すように、第２光源ユニット２は、ヒートシンク３の前面に、光源である不図示のＬＥＤが実装された基板４を取り付けるとともに、透明な樹脂によって正面視矩形状に一体成形された光学レンズ５を前記ＬＥＤを正面側から覆うように固定して構成されている。尚、他方の第１光源ユニット１も第２光源ユニット２と同様に構成されている。
【００１９】
而して、本実施の形態に係るエーミング装置においては、第１光源ユニット１と第２光源ユニット２について上下エーミング時回転軸Ｘ１，Ｘ２と左右エーミング時回転軸Ｙ１，Ｙ２がそれぞれ個別に設定されている。具体的には、第１光源ユニット１においては、光軸Ｏ１を通る水平軸が上下エーミング時回転軸Ｘ１として設定され、光軸Ｏ１から図１の左方に所定距離だけ離れた位置における垂直軸が左右エーミング時回転軸Ｙ１として設定されている。そして、上下エーミング時回転軸Ｘ１と左右エーミング時回転軸Ｙ１との交点がピボット点としてのエーミング中心Ｐ１とされ、上下エーミング時回転軸Ｘ１上に、アジャストスクリュー等によって構成される左右エーミング操作部６が設けられている。
【００２０】
又、第２光源ユニット２においては、光軸Ｏ２を通る水平軸が上下エーミング時回転軸Ｘ２として設定され、光軸Ｏ２から図１の左方に所定距離（第１光源ユニット１の左右エーミング時回転軸Ｙ１の光軸Ｏ１からの距離に略等しい距離）だけ離れた位置における垂直軸が左右エーミング時回転軸Ｙ２として設定されている。そして、上下エーミング時回転軸Ｘ２と左右エーミング時回転軸Ｙ２との交点がピボット点としてのエーミング中心Ｐ２とされ、左右エーミング時回転軸Ｙ２上に、アジャストスクリュー等によって構成される上下エーミング操作部７が設けられている。
【００２１】
そして、本実施の形態では、第１光源ユニット１と第２光源ユニット２とは、微小量だけ相対変位可能な微可動連結ロッド８によって連結されている。ここで、微可動連結ロッド８は、第１光源ユニット１の側端部から下方に延びるロッド８ａと第２光源ユニット２の側端部に設けられたロッド８ｂとを、図４に示す水平なロッド８ｃと複数のピボット軸９によって連結して構成されている。
【００２２】
而して、本発明に係るエーミング装置において、第１光源ユニット１と第２光源ユニット２の上下方向の光軸調整を行う場合には、上下エーミング操作部７の不図示のアジャストスクリューを回す操作を行えば、微可動連結ロッド８によって互いに連結された第１光源ユニット１と第２光源ユニット２は、各々別個に設定された上下エーミング時回転軸Ｘ１，Ｘ２を中心として上下に回動するため、これらの第１光源ユニット１と第２光源ユニット２の上下方向の光軸調整がなされる。この場合、第１光源ユニット１と第２光源ユニット２は、各光軸Ｏ１，Ｏ２を通る水平軸をそれぞれの上下エーミング時回転軸Ｘ１，Ｘ２としたため、これらの第１光源ユニット１と第２光源ユニット２の上下方向の移動軌跡の移動量に差が生じず、両者は上下方向に同じ角度だけ回動して上下方向の光軸調整がなされる。
【００２３】
又、第１光源ユニット１と第２光源ユニット２の左右方向の光軸調整を行う場合には、左右エーミング操作部６の不図示のアジャストスクリューを回す操作を行えば、微可動連結ロッド８によって互いに連結された第１光源ユニット１と第２光源ユニット２は、各々別個に設定された左右エーミング時回転軸Ｙ１，Ｙ２を中心として左右に回動するため、第１光源ユニット１と第２光源ユニット２の左右方向の光軸調整がなされる。この場合、第１光源ユニット１と第２光源ユニット２について、それぞれの光軸Ｏ１，Ｏ２から略等距離に位置する垂直軸を左右エーミング時回転軸Ｙ１，Ｙ２として設定したため、第１光源ユニット１と第２光源ユニット２の左右方向の移動軌跡の移動量に差が殆ど生じず、両者は左右方向に略同じ角度だけ回動して左右方向の光軸調整がなされる。
【００２４】
以上のように、本発明に係るエーミング装置によれば、第１光源ユニット１と第２光源ユニット２について上下エーミング時回転軸Ｘ１，Ｘ２と左右エーミング時回転軸Ｙ１，Ｙ２をそれぞれ個別に設定したため、これらの第１光源ユニット１と第２光源ユニット２間に上下及び左右方向の移動軌跡の移動量に差が生じず、これらの第１光源ユニット１及び第２光源ユニット２と周辺部品との間の隙間を均一に保つことができる。
【００２５】
又、第１光源ユニット１と第２光源ユニット２とを微可動連結ロッド８によって互いに連結したため、上下エーミング時回転軸Ｘ１，Ｘ２及び左右エーミング時回転軸Ｙ１，Ｙ２を第１光源ユニット１と第２光源ユニット２についてそれぞれ個別に設定したことによる両光源ユニット１，２の位相差を吸収しつつ、各１つの上下エーミング操作部７と左右エーミング操作部６の操作によって第１光源ユニット１と第２光源ユニット２を上下及び左右方向に同時に回動させてそれらの光軸調整を効率良く簡単に行うことができるという効果が得られる。
【００２６】
尚、以上の実施の形態では、２つの光源ユニットの光軸を調整するエーミング装置に対して本発明を適用した形態について説明したが、本発明は、３つ以上の光源ユニットの光軸を調整するエーミング装置に対しても同様に適用可能であることは勿論である。
【符号の説明】
【００２７】
１          第１光源ユニット
２          第２光源ユニット
３          ヒートシンク
４          基板
５          光学レンズ
６          左右エーミング操作部
７          上下エーミング操作部
８          微可動連結ロッド
９          ピボット軸
Ｏ１，Ｏ２  
Ｐ１，Ｐ２  エーミング中心
Ｘ１，Ｘ２  上下エーミング時回転軸
Ｙ１，Ｙ２  左右エーミング時回転軸
【図１】
2015155238.tif 000003
【図２】
2015155238.tif 000004
【図３】
2015155238.tif 000005
【図４】
2015155238.tif 000006
【図５】
2015155238.tif 000007
【図６】
2015155238.tif 000008
【図７】
2015155238.tif 000009